【手続補正書】
【提出日】平成25年10月25日(2013.10.25)
【手続補正１】
【補正対象書類名】明細書
【補正対象項目名】００１１
【補正方法】変更
【補正の内容】
【００１１】
この発明に係る画像処理装置は、高露出値画像の輝度及び彩度を特定するとともに、高露出値画像と異なる露出条件で同一の被写体が撮影された低露出値画像の輝度及び彩度を特定する輝度彩度特定手段と、輝度彩度特定手段により特定された高露出値画像の輝度及び彩度が指定の範囲内に収まっている度合を特定して、その度合を示す第１の収まり度合情報を出力するとともに、輝度彩度特定手段により特定された低露出値画像の輝度及び彩度が指定の範囲内に収まっている度合を特定して、その度合を示す第２の収まり度合情報を出力する収まり度合特定手段と、輝度彩度特定手段により特定された高露出値画像及び低露出値画像の輝度から合成比率を算出する合成比率算出手段と、合成比率算出手段により算出された合成比率にしたがって高露出値画像と低露出値画像を合成するとともに、その合成比率にしたがって高露出値画像の輝度、彩度及び第１の収まり度合情報と、低露出値画像の輝度、彩度及び第２の収まり度合情報とを合成する合成手段と、合成手段による合成画像の階調を圧縮する階調圧縮手段とを設け、コントラスト強調手段が合成手段による合成後の輝度、彩度及び収まり度合情報と階調圧縮手段による階調圧縮後の合成画像における輝度及び彩度情報からコントラスト強調用のパラメータを算出し、そのパラメータを用いて、階調圧縮手段による階調圧縮後の合成画像のコントラストを強調するようにしたものである。
【手続補正２】
【補正対象書類名】明細書
【補正対象項目名】００１２
【補正方法】変更
【補正の内容】
【００１２】
この発明によれば、高露出値画像の輝度及び彩度を特定するとともに、高露出値画像と異なる露出条件で同一の被写体が撮影された低露出値画像の輝度及び彩度を特定する輝度彩度特定手段と、輝度彩度特定手段により特定された高露出値画像の輝度及び彩度が指定の範囲内に収まっている度合を特定して、その度合を示す第１の収まり度合情報を出力するとともに、輝度彩度特定手段により特定された低露出値画像の輝度及び彩度が指定の範囲内に収まっている度合を特定して、その度合を示す第２の収まり度合情報を出力する収まり度合特定手段と、輝度彩度特定手段により特定された高露出値画像及び低露出値画像の輝度から合成比率を算出する合成比率算出手段と、合成比率算出手段により算出された合成比率にしたがって高露出値画像と低露出値画像を合成するとともに、その合成比率にしたがって高露出値画像の輝度、彩度及び第１の収まり度合情報と、低露出値画像の輝度、彩度及び第２の収まり度合情報とを合成する合成手段と、合成手段による合成画像の階調を圧縮する階調圧縮手段とを設け、コントラスト強調手段が合成手段による合成後の輝度、彩度及び収まり度合情報と階調圧縮手段による階調圧縮後の合成画像における輝度及び彩度情報からコントラスト強調用のパラメータを算出し、そのパラメータを用いて、階調圧縮手段による階調圧縮後の合成画像のコントラストを強調するように構成したので、合成画像の彩度の低下を招くことなく、ダイナミックレンジを拡張することができる効果がある。
【手続補正３】
【補正対象書類名】特許請求の範囲
【補正対象項目名】全文
【補正方法】変更
【補正の内容】
【特許請求の範囲】
【請求項１】
高露出値画像の輝度及び彩度を特定するとともに、上記高露出値画像と異なる露出条件で同一の被写体が撮影された低露出値画像の輝度及び彩度を特定する輝度彩度特定手段と、
上記輝度彩度特定手段により特定された高露出値画像の輝度及び彩度が指定の範囲内に収まっている度合を特定して、その度合を示す第１の収まり度合情報を出力するとともに、上記輝度彩度特定手段により特定された低露出値画像の輝度及び彩度が指定の範囲内に収まっている度合を特定して、その度合を示す第２の収まり度合情報を出力する収まり度合特定手段と、
上記輝度彩度特定手段により特定された高露出値画像及び低露出値画像の輝度から合成比率を算出する合成比率算出手段と、
上記合成比率算出手段により算出された合成比率にしたがって上記高露出値画像と上記低露出値画像を合成するとともに、上記合成比率にしたがって上記高露出値画像の輝度、彩度及び上記第１の収まり度合情報と、上記低露出値画像の輝度、彩度及び上記第２の収まり度合情報とを合成する合成手段と、
上記合成手段による合成画像の階調を圧縮する階調圧縮手段と、
上記合成手段による合成後の輝度、彩度及び収まり度合情報と上記階調圧縮手段による階調圧縮後の合成画像における輝度及び彩度情報からコントラスト強調用のパラメータを算出し、上記パラメータを用いて、上記階調圧縮手段による階調圧縮後の合成画像のコントラストを強調するコントラスト強調手段とを備えた画像処理装置。
【請求項２】
コントラスト強調手段は、階調圧縮手段による階調圧縮後の合成画像の彩度を特定し、階調圧縮後の合成画像の彩度が階調圧縮前の合成画像の彩度より低下していれば、コントラスト強調用のパラメータとして、階調圧縮後の合成画像の彩度を高めるパラメータを算出し、階調圧縮後の合成画像の彩度が階調圧縮前の合成画像の彩度より低下していなければ、コントラスト強調用のパラメータとして、階調圧縮後の合成画像の彩度を維持するパラメータを算出することを特徴とする請求項１記載の画像処理装置。
【請求項３】
コントラスト強調手段は、階調圧縮手段による階調圧縮後の合成画像の輝度を特定し、階調圧縮後の合成画像の輝度が階調圧縮前の合成画像の輝度より低下していれば、コントラスト強調用のパラメータとして、階調圧縮後の合成画像の輝度を中間階調に変化させるパラメータを算出し、階調圧縮後の合成画像の輝度が階調圧縮前の合成画像の輝度より低下していなければ、コントラスト強調用のパラメータとして、階調圧縮後の合成画像の輝度を維持するパラメータを算出することを特徴とする請求項１または請求項２記載の画像処理装置。
【請求項４】
輝度彩度特定手段が高露出値画像の輝度及び彩度を特定するとともに、上記高露出値画像と異なる露出条件で同一の被写体が撮影された低露出値画像の輝度及び彩度を特定する輝度彩度特定処理ステップと、収まり度合特定手段が上記輝度彩度特定処理ステップで特定された高露出値画像の輝度及び彩度が指定の範囲内に収まっている度合を特定して、その度合を示す第１の収まり度合情報を出力するとともに、上記輝度彩度特定処理ステップで特定された低露出値画像の輝度及び彩度が指定の範囲内に収まっている度合を特定して、その度合を示す第２の収まり度合情報を出力する収まり度合特定処理ステップと、合成比率算出手段が上記輝度彩度特定処理ステップで特定された高露出値画像及び低露出値画像の輝度から合成比率を算出する合成比率算出処理ステップと、合成手段が上記合成比率算出処理ステップで算出された合成比率にしたがって上記高露出値画像と上記低露出値画像を合成するとともに、上記合成比率にしたがって上記高露出値画像の輝度、彩度及び上記第１の収まり度合情報と、上記低露出値画像の輝度、彩度及び上記第２の収まり度合情報とを合成する合成処理ステップと、階調圧縮手段が上記合成処理ステップで合成された画像の階調を圧縮する階調圧縮処理ステップと、コントラスト強調手段が上記合成処理ステップによる合成後の輝度、彩度及び収まり度合情報と上記階調圧縮処理ステップによる階調圧縮後の合成画像における輝度及び彩度情報からコントラスト強調用のパラメータを算出し、上記パラメータを用いて、上記階調圧縮処理ステップによる階調圧縮後の合成画像のコントラストを強調するコントラスト強調処理ステップとを備えた画像処理方法。
【請求項５】
所定の露出条件で被写体を撮影して、その撮影画像である高露出値画像を出力するとともに、上記高露出値画像と異なる露出条件で上記被写体を撮影して、その撮影画像である低露出値画像を出力する撮像手段と、上記撮像手段から出力された高露出値画像の輝度及び彩度を特定するとともに、上記撮像手段から出力された低露出値画像の輝度及び彩度を特定する輝度彩度特定手段と、上記輝度彩度特定手段により特定された高露出値画像の輝度及び彩度が指定の範囲内に収まっている度合を特定して、その度合を示す第１の収まり度合情報を出力するとともに、上記輝度彩度特定手段により特定された低露出値画像の輝度及び彩度が指定の範囲内に収まっている度合を特定して、その度合を示す第２の収まり度合情報を出力する収まり度合特定手段と、上記輝度彩度特定手段により特定された高露出値画像及び低露出値画像の輝度から合成比率を算出する合成比率算出手段と、上記合成比率算出手段により算出された合成比率にしたがって上記高露出値画像と上記低露出値画像を合成するとともに、上記合成比率にしたがって上記高露出値画像の輝度、彩度及び上記第１の収まり度合情報と、上記低露出値画像の輝度、彩度及び上記第２の収まり度合情報とを合成する合成手段と、上記合成手段による合成画像の階調を圧縮する階調圧縮手段と、上記合成手段による合成後の輝度、彩度及び収まり度合情報と上記階調圧縮手段による階調圧縮後の合成画像における輝度及び彩度情報からコントラスト強調用のパラメータを算出し、上記パラメータを用いて、上記階調圧縮手段による階調圧縮後の合成画像のコントラストを強調するコントラスト強調手段とを備えた撮像装置。